Podtech/llm-jp-corpus-v4-ja_patent huggingface dataset:
(57)【要約】【課題】この考案の課題は屋外でも屋内でも全天候型の防水を施した防水型電池パックを提供するものである。【解決手段】箱型の筐体内部に電池及び保護回路等他の電子機器と電力の受給電できる電池機能を備える電池パックにおいて、前記筐体を被覆する電気的絶縁性のシートと、該シートに周囲の一部を被覆され、残りの部分は前記他の電子機器との電気的に接続される電極とからなり前記電極の一部をシートで被覆して電池パックを防水構造にした防水型電池パックが提供出来るものである。【選択図】  図１
0003122541.tif 000002
【実用新案登録請求の範囲】
【請求項１】
箱形の筐体内部に電池及び保護回路等他の電子機器と電力の受給電できる電池機能を備える電池パックにおいて、前記筐体を被覆する電気的絶縁性のシートと、該シートに周囲の一部を被覆され、残りの部分は前記他の電子機器と電気的に接続される電極とからなり前記電極の一部をシートで被覆して電池パックを防水構造にした防水型電池パック。
【請求項２】
前記電極部分での被覆と電極との接着は前記シートは塩化ビニールで該塩化ビニールを熱収縮させてなる請求項1記載の防水型電池パック。
【請求項３】
前記電池部分でのシートと電極のとの接着は接着剤を用いてなる請求項1記載の防水型電池パック。
【請求項４】
前記電極部分でのシートを覆う箇所は他の面より粗面にしてなる請求項1記載の防水型電池パック。
【考案の詳細な説明】
【技術分野】
【０００１】
この考案は、例えば電子機器本体に取り付けられ電子機器本体に電力を受給電する防水型電池パックに関する。
【背景技術】
【０００２】
最近、携帯型電子機器、例えば携帯電話機は全体的に薄型で軽量、小型がユーザーから望まれ一層それらの傾向を強めている。こういった電子機器には充電タイプの電池が内蔵された電池パックが採用されている。この電池パックは設計段階で各種の条件テストを行うが、防水テストは重要な要件になっている。又小型化されしかも屋外で使用する等の使用形態が変化し全天候型が望まれている。
【０００３】
特に、水たまりに落とした場合、或いは雨降り、或いは台所での水仕事など防水型の携帯電話が市場から要請されている。携帯電話に使用される電池パックは内部に電池を収納しているので一層防水構造が要求されるが従来のものは防水構造としては不十分なものであった。特に電池パックが上蓋と下蓋との嵌合構造を採用するためにこの嵌合構造の箇所から浸水することが多く、また他の電子機器と受給電を行う為の電極が露出するためこの箇所の浸水が多く認められる。
【０００４】
そして多く採用される構造はそれぞれの部材が組み合わされる箇所での組み合わせ密度を高くして浸水の防止を図る傾向が大多数で従って、特に防水といった特別な部材を用いた防水構造は採用されていない。
【特許文献１】特願平４−１３９３５８号公報
【考案の開示】
【考案が解決しようとする課題】
【０００５】
この考案の課題は屋外でも屋内でも全天候型の防水を施した防水型電池パックを提供するものである。
【課題を解決するための手段】
【０００６】
上記の課題を解決するために電池パック本体のほぼ全域を塩ビなどのシートで覆い、外部との受給電となる電極部分は一部露出し、電池パック本体を構成する上蓋と下蓋との嵌合部分は確実に密閉できるように内部への浸水を防止できる防水型電池パックを提供するものである。
【考案の効果】
【０００７】
請求項１〜４によれば筐体の略全体をシートで覆うから筐体内部への水分の浸入は防止できる、従って、電池が水分で浸水することがなくなる。又、シートは電極の一部をカバーするのみであるから他の電子機器との電極箇所での受給電にも支障がないものである。
【考案を実施するための最良の形態】
【０００８】
（実施形態１）
以下この考案実施例を図面1及び図2に基づいて説明する。1はプラスチック等で形成された電池パック本体で、この電池パック本体１は上蓋と下蓋とから構成され両者は嵌合構造で組み合わされている。
【０００９】
この電池パック本体1の内部にはリチューム二次電池及び保護回路等が内蔵され、他の電子機器に電力の受給電を行うのに十分な機能を構成している。２は筐体１の端面に露出した3個の電極で、該電極２は＋、−、アース極で他の電子機器との電力の受給電ができるようになっている。
【００１０】
該電極２は電池パック本体１の内側から予め電池パック本体1に形成された前記電極2より僅かに小さい孔から露出している。勿論この電極2は内部のリチュームなどの二次電池に電気的に接続されている。
【００１１】
このように構成した電池パック本体1は塩ビなど電気的絶縁性のシート３で被覆する。
この場合シート３は熱収縮性のものを採用し、電池パック本体1に被覆して熱収縮を計ることで密着でき、又、前記シート３は電極2に該当する箇所で電極2より小さめに孔開けして位置合わせし、被覆する。これによって、先ず電池パック本体1の上蓋と下蓋との嵌合わせ箇所での浸水は防止できる。
【００１２】
更に電極２の箇所で液密にシートが被覆されるが、電極２は被覆以外の箇所で露出しているので他の電子機器の他の電極4に導通することができる。この場合、電極２の箇所でのシート3の液密性を一層高める為に接着剤を用いて接着してもよい。尚図中シート３は点線で現している、したがって、電極2の中央部ではシート３は中央の電極箇所を露出して他の電子機器の電極4を導通できて被覆される。また、斜線箇所が電極2上でのシート3との接着或いは被覆箇所を現している。
【図面の簡単な説明】
【００１３】
【図１】この考案に係わる防水電池パックの斜視図。
【図２】図1の電極箇所の拡大図。
【符号の説明】
【００１４】
１  電池パック本体
２  電極
３  シート
４  他の電極
【図１】
0003122541.tif 000003
【図２】
0003122541.tif 000004
(57)【要約】      （修正有）【課題】蚊とり線香を、外出時や就寝時に、安全，簡便、経済的に消火する。線香を連続燃焼させながら、線香軸の任意位置で消火して、蚊とり線香の連続燃焼時間と消火を自在にする。【解決手段】線香を連続燃焼させながら、線香軸３の任意位置で消火するために、線香軸に消火リング１を挿入して、軸の前後に任意移設すれば、線香の連続燃焼と消火が自在になり、また、つまみ板２に表示の、時間目安表示５により、線香の燃焼時間と消火も自在となる。【選択図】図１
0003122599.tif 000002
【実用新案登録請求の範囲】
【請求項１】
線香軸への挿入を容易にする開口部（６）をもつ、蚊とり線香消火リング（１）で、線香軸（３）に挿入して、線香軸前後の任意位置に移設し、線香の燃焼と消火までの時間を自在にすることを特徴とする、蚊とり線香消火具。
【請求項２】
消火リング（１）を、線香軸先端（４）から線香軸（３）に挿入するための、つまみで、消火リング（１）に係設した、つまみ板（２）。
【請求項３】
つまみ板（２）に表示する、線香の燃焼と消火までの時間を表示する、時間目安表示（５）。
【考案の詳細な説明】
【考案の詳細な説明】
【技術分野】
【０００１】  本考案は、蚊とり線香の燃焼を停止させる、蚊とり線香消火具に関するものである。
【背景技術】
【０００２】  蚊とり線香の燃焼を停止させる手段としては、燃焼中の、線香軸先端を折離する方法や、線香軸先端を水漬する方法などがある。
【考案が解決しようとする課題】
【０００３】  蚊とり線香は着火後の連続燃焼で蚊を駆除するが、蚊とり線香の使用状況によっては、例えば外出時や就寝時など、線香燃焼を短時間で停止させる必要がある。線香の燃焼を停止させる手段としては、前述の、燃焼中の、線香軸先端を折離する方法や、線香軸先端を水漬する方法などがあるが、いずれも消火に手間を要する。線香軸先端を折離する方法では、未燃焼部の線香軸まで折離してしまうため不経済である。また、燃焼中の線香軸先端を水漬する方法では、次の着火時に、線香軸が乾燥するまで着火できず、不便である。従って、線香を連続燃焼させながら、線香軸の任意位置で消火する消火具により、蚊とり線香の連続燃焼と消火を自在にすることで、前述の欠点を解決しようとするものである。
【課題を解決するための手段】
【０００４】  本考案は、線香を連続燃焼させながら、線香軸の任意位置で消火するために、線香軸に消火リングを挿入して、線香軸の前後に任意移設し、線香の連続燃焼と消火を自在にすることで、問題を解決している。
【考案の実施形態】
【０００５】  本考案は、線香軸に挿入する消火具で、線香軸を覆囲し、燃焼空気を遮断して燃焼を停止させる。消火具は、平板で角型に形成された消火リングで、消火リングには、つまみ板が係設できる。消火リングを線香軸の前後任意位置に移設して線香軸に着火すれば、線香の燃焼は消火リングの移設位置手前まで続いて、燃焼が消火リング内側に進んだ時に、線香軸周囲の燃焼空気が遮断されて燃焼を停止させるから、消火リングを線香軸の前後任意位置に移設することにより、線香の連続燃焼と消火は自在となる。
【実施例】
【０００６】  以下、添付図面に従って一実施例を説明する。１は金属板などの不燃材料により平板で形成された角型消火リング、２は消火リング１に係設してつまみとなる、消火リングと一体あるいは別部品の、金属などの不燃材料により形成されたつまみ板で、つまみ板の形状は渦巻き線香に沿線させた曲面でも良い。３は蚊とり線香軸、４は線香軸先端、５はつまみ板２に表示する、線香の燃焼と消火までの時間目安表示、６は線香軸への挿入を容易にするために、消火リングの一方に設置した開口部の、それぞれの実施例である。
【考案の効果】
【０００７】  本考案の一実施例は上述の如き構成からなるものであるから、消火リングを線香軸に挿入して線香軸を覆囲することにより、線香の燃焼を停止させる。消火リングを線香軸の前後任意位置に移設すれば、線香の燃焼は、消火リングの移設位置手前まで続いて消火リング内側に進んだ時に、線香軸周囲の燃焼空気が遮断され、線香の燃焼を停止させるから、線香の連続燃焼と消火は、消火リングの位置によって自在となり、また、つまみ板に表示の、時間目安表示により、線香の燃焼時間と消火も自在となる。
【図面の簡単な説明】
【図１】本考案の平面図である。
【図２】本考案の正面図である。
【図３】消火リング（１）の線香軸への挿入実施例を示す縦断面図である。
【符号の説明】
１消火リング
２消火リングに係設したつまみ板
３蚊とり線香軸
４線香軸先端
５つまみ板に表示する、線香の燃焼と消火までの時間目安表示
６消火リングの一方に設置した開口部
【図１】
0003122599.tif 000003
【図２】
0003122599.tif 000004
【図３】
0003122599.tif 000005
【手続補正書】
【提出日】平成17年8月3日(2005.8.3)
【手続補正１】
【補正対象書類名】実用新案登録請求の範囲
【補正対象項目名】全文
【補正方法】変更
【補正の内容】
【実用新案登録請求の範囲】
【請求項１】
線香軸先端（４）から線香軸（３）への挿入を容易にする開口部（６）をもつ蚊とり線香消火リング（１）で、消火リング（１）には、消火リング（１）を線香軸前後の任意位置に移設するために消火リング（１）に係設したつまみ板（２）と、つまみ板（２）に表示して、線香の連続燃焼と消火までの時間を示す時間目安表示（５）を備えたことを特徴とする請求項１記載の蚊とり線香消火具。
【手続補正書】
【提出日】平成17年10月11日(2005.10.11)
【手続補正１】
【補正対象書類名】実用新案登録請求の範囲
【補正対象項目名】全文
【補正方法】変更
【補正の内容】
【実用新案登録請求の範囲】
【請求項１】
線香軸先端（４）から線香軸（３）への挿入を容易にする開口部（６）をもつ蚊とり線香消火リング（１）で、消火リング（１）には、消火リング（１）を線香軸前後の任意位置に移設するために、消火リング（１）に係設したつまみ板（２）と、つまみ板（２）に表示して、線香の連続燃焼と消火までの時間を示す時間目安表示（５）を備えたことを特徴とする蚊とり線香消火具。
(57)【要約】      （修正有）【課題】防水・防汚・防寒・遮光など腕部保護カバーや脚部保護カバーや果実や野菜など植物の防虫や防寒カバー用など多岐の保護用途として活用できる多目的保護カバーを提供する。【解決手段】自在性があり薄手のポリエチレン素材などの筒状覆いである防水カバー１の両端開口部の差し込み口３にゴムなど伸縮性のある伸縮輪２を有した構成の保護カバーを人の腕部保護用、脚部保護用および植物の果実や葉や茎などの保護用などとして多用途に使用する組み合せ構成を特徴とした多目的保護カバー。【選択図】図１
0003122600.tif 000002
【実用新案登録請求の範囲】
【請求項１】
自在性があり薄手で防水性素材などの筒状覆いである防水カバー１の両端開口部の差し込み口３にゴムなど伸縮性の高い伸縮輪２を有した基本構成の多目的保護カバー。
【請求項２】
自在性があり薄手のポリエチレン素材などの筒状覆いである防水カバー１の両端開口部の差し込み口３にゴムなど伸縮性のある伸縮輪２を有した構成の保護カバーを人の腕部保護用、脚部保護用および植物の果実や葉や茎などの保護用などとして多用途に使用する組み合せ構成を特徴とした多目的保護カバー。
【考案の詳細な説明】
【技術分野】
【０００１】  本考案は防水・防汚・防寒・遮光など腕部保護カバーや脚部保護カバーや果実や野菜など植物の防虫や防寒カバー用など多岐の保護用途として活用できる多目的保護カバーに関するものである。
【背景技術】
【０００２】  従来、各種の保護を目的とした保護カバー品に於ては用途用途に応じた専用品であって、例えば腕部の保護としては腕カバーであり、脚部の保護としては脚カバーであり、各種植物の保護については植物名称や部位などのカバーであったため多用途の活用を目的とした技術ではなかった。
【考案の開示】
【考案が解決しようとする課題】
【０００３】  従来の専用的保護カバーに於ては下述するような問題があった。
（イ）保護カバーを使用するユーザー側に於ては使用用途が専用的に限定されるため不便であるし、余剰を生じた場合などは無駄であり、且価格も高かったなど不合理な面が多かった。
（ロ）保護カバーを製造するメーカー側に於ては製品用途別の設備が必要であるし、生産量も限定されるため、設備投資費用が高くなったり生産コストが高くなるなどの問題があった。
（ハ）清潔性や衛生性を要求される炊事や介護や看護用として使用する場合には使い捨てが必至であるが、現実的には該当商品は見当たらないし、価格的にも困難であった。
【問題を解決するための手段】
【０００４】  いまその課題を解決するため構成を説明すれば、
（イ）自在性があり薄手で防水性のあるポリエチレン素材などの筒状覆いである防水カバー１の両端開口部の差し込み口３にゴムなど伸縮性の高い伸縮輪２を有した基本構成である。
（ロ）自在性があり薄手のポリエチレン素材などの筒状覆いである防水カバー１の両端開口部の差し込み口３にゴムなど伸縮性の高い伸縮輪２を有した基本構成の保護カバーを人の腕部保護用、脚部保護用、および植物の果実や葉や茎などの保護用などとして多用途に使用する組み合せ構成である。
【考案の効果】
【０００５】  本考案品により腕部の保護カバーとして、脚部の保護カバーとして、植物の保護カバーとしてなど多用途に使用でき、便利で無駄のない有効的な活用を促進するものであり、具体用途を列記すれば、
（イ）腕の保護用としては、炊事、洗濯、清掃、介護時などに着用しての防水・・防汚・防寒用や、雨天時の濡れ防止用や農作業や園芸作業時の防水・防汚・防寒用などとして有効的に活用出来ます。
（ロ）脚の保護用としては、浴槽などの清掃時に着用しての防水・防汚・防寒用や、雨天時の通学、通勤などでの濡れ防止用や農作業や園芸作業時の防水・防汚・防寒用などとして有効的に活用出来ます。
（ハ）植物の保護用としては、果実や野菜などの成長時に被せて防虫・防汚・防寒用などとして有効的に活用出来ます。
【０００６】  本考案を製造する場合、同一設備で多量の製品を一括製造出来るため下述する効果があります。
（イ）製造のための設備投資金額が少なくて済む。
（ロ）同等品の大量製造となるため製造コストが安価となる。
（ハ）上記により商品価格が安くなる。
【０００７】  本考案品を介護や看護や給食など特に清潔を要求される場合に於ては使い捨てを可能とする価格であり、有効的な活用ができます。
【考案を実施するための最良の形態】
【実施例】
【０００８】  以下、本考案の実施例について説明する。
（イ）自在性があり厚さが０．０２ミリ〜０．０４ミリ程度のポリエチレン素材などの筒状覆いである防水カバー１の両端開口部の差し込み口３に直径が１ミリ〜３ミリ程度のゴム素材である伸縮輪２を有した構成である。
（ロ）筒状覆いである防水カバー１の長さを用途や使用対称者別などに規定して標準化する。
（ハ）防水カバー１は通常は透明素材とするが必要に応じて有色材とする。
【図面の簡単な説明】
【０００９】
【図１】本考案多目的保護カバーの一例を示す斜視図
【図２】本考案多目的保護カバーを腕に着用した一例を示す斜視図
【図３】本考案多目的保護カバーを脚に着用した一例を示す斜視図
【図４】本考案多目的保護カバーを果実に着用した一例を示す斜視図
【符号の説明】
【００１０】        １は防水カバー
２は伸縮輪
３は差し込み口
【図１】
0003122600.tif 000003
【図２】
0003122600.tif 000004
【図３】
0003122600.tif 000005
【図４】
0003122600.tif 000006
(57)【要約】【目的】  オムツ式紙パンツにすることにより、使用者、介護者にとっても無理なく清潔に取り替えのできる、介護用紙パンツを提供できる。【構造】  従来の紙パンツを、オムツ状にし、上部両側に止め具を設け、これを止めることによって、パンツにすることを特徴とする。【選択図】図１
0003122598.tif 000002
【実用新案登録請求の範囲】
【請求項１】
介護用の紙パンツをオムツ状に開くと、ほぼ図１のようになる。少し広くした、上部両側に設けた、たとえばホック状のような止め具（１）により、パンツになるようにした、オムツ式紙パンツである。
【考案の詳細な説明】
【発明の詳細な説明】
【産業上の利用分野】
【０００１】この考案は、紙パンツの前方をオムツ状にしたもので、両側に設けた止め具により、紙パンツになるようにした、オムツ式紙パンツに関するものである。
【背景技術】
【０００２】従来、紙パンツはあった。
【考案が解決しょうとする課題】
【０００３】これは次のような欠点があった。
（イ）パンツであることにより、臥床、座位、立位、いずれの体位でであっても、紙パンツを下方へずらして、パットを交換するか、足から脱がせて、紙パンツを交換しなくてはならなかった。
（ロ）排便、排尿の状況によっては、下方へずらして脱がせるので、余分に汚す場合が多く、不快感もある。また、複数の介助や時間も必要以上となる場合も多い。
（ハ）紙パンツの使用者は、足を交互に動かすことが困難な人が殆どであり、介護者の動作や体力も必要以上となる。
本考案は、これらの欠点を除くためになされたものである。
【問題を解決する手段】
【０００４】従来の紙パンツの前方をオムツ状に開くとほぼ図１のようになる。上部をやや広くし、パンツにするための止め具を両側に設ける。
本考案は、以上のような構成よりなる、オムツ式紙パンツである。
【作用】
【０００５】  オムツ式紙パンツであり臥床、座位、立位、いずれの体位であっても止め具によって、オムツ同様の脱着ができる。
【実施例】
【０００６】  以下本考案の実施例について説明する。
（イ）  紙パンツを、オムツ状にすると、ほほ図１のようになる。
（ロ）  開かれた両側をやや広くし、パンツ状にするための止め具（１）を設ける。
【考案の効果】
【０００７】本考案は以上のような構成で、使用者の多くは、足を動かすことが困難であり、いずれの体位であっても、オムツ式パンツであるから、パットの交換、紙パンツともの交換は、きわめて無理なく清潔に早くできる。
【図面の簡単な説明】
【図１】本考案品の展開図である。
【図２】止め具により使用状態にした正面図である。
【符合の説明】
【０００８】１  止め具
２  ギャザー
３  本体
【図１】
0003122598.tif 000003
【図２】
0003122598.tif 000004
【手続補正書】
【提出日】平成17年6月24日(2005.6.24)
【手続補正１】
【補正対象書類名】実用新案登録請求の範囲
【補正対象項目名】全文
【補正方法】変更
【補正の内容】
【実用新案登録請求の範囲】
【請求項１】
オムツ状の紙形に、ギャザーとホック状の止め具を設けたもので、これをとめることにより、パンツの形状になる、オムツ式紙パンツ。
【手続補正２】
【補正対象書類名】図面
【補正対象項目名】全図
【補正方法】変更
【補正の内容】
【図１】
0003122598.tif 000005
【図２】
0003122598.tif 000006
【手続補正３】
【補正対象書類名】明細書
【補正対象項目名】０００８
【補正の内容】
【０００８】  【図１】
ホック状の止め具の片側をはずした、斜視図である。
【図２】
ホツク状の止め具を、両方ともはずし、オムツ状に開かれた図である。
【図３】
前部を折り上げ、全てのホック状の止め具をとめて、パンツ状に形成された図である。
【符合の説明】
１  ホック状の止め具
２  ギャザー
３  本体
(57)【要約】【課題】灯管の寿命に影響せず、安定性の高い蛍光灯電子整流器を提供する。【解決手段】逆変スイッチ回路１と電感整流器２で、一本の蛍光灯灯管３はその形式はＴ５形或いはＴ８形等が使用可能である。該蛍光灯灯管３の一端を該逆変スイッチ回路１の出力端と連接させる。該蛍光灯灯管３の別の一端を電感整流器２の出力端と連接させる。逆変スイッチ回路１、電感整流器２の入力端は電源と連接させる。灯管３の一端に逆変スイッチ回路１を連接して高周波高圧を発生させ、灯管３の別の一端に電感整流器２を連接して低周波電圧を発生させる。灯管３の電流の周波ピーク値を１．７以下に下げて、灯管３の両端が黒くなるのを避けて、灯管３の寿命を延ばす。これで伝統の電子整流器の早期黒頭の欠点を解決することが可能である。電感と電子的結合を採用して安定性を上げ、高周波の含量が低いので、干渉の抵抗能力が強い。【選択図】図２
0003122763.tif 000002
【実用新案登録請求の範囲】
【請求項１】
逆変スイッチ回路及び電感整流器を含む蛍光灯電子整流器であって、
該逆変スイッチ回路は、出力端を有し、蛍光灯灯管の一端と連接され、
該電感整流器は、出力端を有し、該蛍光灯灯管の別の一端と連接され、各該逆変スイッチ回路および電感整流器は、それぞれ電源と連接される入力端を備えることを特徴とする蛍光灯電子整流器。
【考案の詳細な説明】
【技術分野】
【０００１】
本考案は、蛍光灯灯具に関し、特に蛍光灯電子整流器に関する。
【背景技術】
【０００２】
従来の伝統の蛍光灯電子整流器は、一つの逆変スイッチ回路Ａを利用して、蛍光灯灯管Ｂの両端に高周波高圧を発生さして蛍光灯を点火させる（図１に示す）。しかしこの回路の構造は下記の欠点がある。
１、灯管の両端に流れる電流のピーク値が高すぎるので容易に灯管を黒くさせ、灯管の寿命に影響がでる。
２、高周波の含量が高いので、干渉が比較的厳重である。
３、全電子の形式であるので安定性が不十分である。
【考案の開示】
【考案が解決しようとする課題】
【０００３】
上述のように従来の蛍光灯電子整流器は逆変スイッチ回路を利用して、蛍光灯灯管の両端に高周波高圧を生じさせ蛍光灯を点火させ、光らせている。この回路構造は、灯管の寿命に影響する、干渉が比較的厳重で、安定性が悪いという欠点がある。
したがって本考案の目的は、灯管の寿命に影響せず、安定性の高い蛍光灯電子整流器を提供することにある。
【課題を解決するための手段】
【０００４】
上述の目的を達成するために本考案の請求項に記載の蛍光灯電子整流器は、逆変スイッチ回路と電感整流器を含む。灯管の一端と逆変スイッチ回路の出力端を連接して、灯管の別の一端と電感整流器の出力端を連接する。並びに各該逆変スイッチ回路と電感整流器の入力端を個別に一つの電源と連結させる。これで、上記の課題の防止効果を達成させる。
【考案を実施するための最良の形態】
【０００５】
以下、本考案の実施例を図面に基づいて説明する。
図２、図３に示すように、本実施例による蛍光灯電子整流器は下記のものを含む。逆変スイッチ回路１と電感整流器２で、一本の蛍光灯灯管３はその形式はＴ５形或いはＴ８形等が使用可能である。該蛍光灯灯管３の一端を該逆変スイッチ回路１の出力端と連接させる。該蛍光灯灯管３の別の一端を電感整流器２の出力端と連接させる。逆変スイッチ回路１、電感整流器２の入力端は電源と連接させる。
【０００６】
図面の中のＬ１は、電感整流器で、Ｄ１からＤ９はダイオード、Ｃ２からＣ８はコンデンサ、Ｒ１からＲ６は抵抗、ＢＧ１、ＢＧ２は三極真空管、Ｌ２、Ｎ１、Ｎ２、Ｐで逆変スイッチ回路１を組成し、コンデンサＣ７、Ｃ８と電感Ｌ２はＬＣと共振して高周波高圧を発生する。
【０００７】
本実施例による蛍光灯電子整流器は下記の伏点がある、
１、灯管の一端に逆変スイッチ回路を連接して高周波高圧を発生させ、灯管の別の一端に電感整流器を連接して低周波電圧を発生させる。灯管の電流の周波ピーク値を１．７以下に下げて、灯管の両端が黒くなるのを避けて、灯管の寿命を延ばす。これで伝統の電子整流器の早期黒頭の欠点を解決することが可能である。
２、電感と電子的結合を採用して安定性を上げ、高周波の含量が低いので、干渉の抵抗能力が強い。
【図面の簡単な説明】
【０００８】
【図１】伝統の電子整流器と灯管を示す連接図である。
【図２】本考案の実施例による蛍光灯電子整流器のブロック図である。
【図３】図２に対応する回路図である。
【符号の説明】
【０００９】
１  逆変スイッチ回路、  ２  電感整流回路、３  蛍光灯灯管、ＢＧ１  三極真空管、ＢＧ  三極真空管、Ｃ２  コンデンサ、Ｄ１  ダイオード、Ｌ１  電感整流器、Ｌ２  電感整流器、Ｎ１  電感整流器、Ｎ２  電感整流器、Ｐ  電感整流器、Ｒ１  抵抗
【図１】
0003122763.tif 000003
【図２】
0003122763.tif 000004
【図３】
0003122763.tif 000005
(57)【要約】【課題】Ｔ８形灯具に、同時にＴ５形以下の灯管を適用可能な蛍光灯灯管台転換装置を提供する。【解決手段】灯具は本体１及び、本体１の両端に置かれているベアの灯管台２を含む。本体１の内部は別にＴ８形灯管と配合可能な電気回路を設けている。灯管台２の間に置くことが可能な該蛍光灯灯管台転換装置３、４の中の左側にある転換装置３は、一端には元の灯管台２の上に差し込み可能なプラグ５が設けられている。別の一端にはＴ５形灯管の一端を差し込み可能なソケット６が設けられている。右側にある転換装置４は、その一端には元の灯管台２に差し込み可能なプラグ８が設けられている。別の一端にはＴ５形灯管の別端を差し込み可能なソケット９が設けられている。灯管台転換装置３、４は、灯具上で灯管７の両端の二つの対応部位間の距離を縮めることが可能であり、Ｔ５形以下の灯管７と配合させることが可能である。【選択図】図２
0003122762.tif 000002
【実用新案登録請求の範囲】
【請求項１】
蛍光灯灯管台転換装置であって、
任意に取り付け外しが可能であって、Ｔ８灯管の使用に配合可能な灯具の二つの灯管台の間に設置され、一端にはプラグが設けられ、該灯具上の元有の灯管台に挿入可能であり、別の一端にはソケットが設けられ、Ｔ５以下の一つの灯管の一端の連接可能に構成されていることを特徴とする蛍光灯灯管台転換装置。
【請求項２】
内部に設けられ、該Ｔ５灯管と配合して使用する予設回路を含むことを特徴とする請求項１記載の蛍光灯灯管台転換装置。
【考案の詳細な説明】
【技術分野】
【０００１】
本考案は、蛍光灯の灯具に関し、特に多種の規格の蛍光灯灯管に適用可能な灯管台転換装置に関する。
【背景技術】
【０００２】
現在、一般的なＴ８型の蛍光灯灯管の蛍光灯に適用する灯具の構造は、本体、及び該本体の両端に置かれている二つの灯管台を含む。
しかし、該二つの灯管台は固定で設置されているもので、Ｔ８形の灯管の長さに適用する固定距離である。これはＴ５或いはＴ４形の灯管をその上に取り付けすることには適合しない。このために、もしもＴ５或いはＴ４形の灯管を使用する場合は、該本体を交換する必用がある。これでは、消費者の一種の浪費になる。
その外に、普通の灯具の中に使用されている電感整流器は、只Ｔ８形以上の灯管に適用されるもので、消費者が現在使用している普通の電感整流器のＴ８形蛍光灯灯具を若しもＴ５以下の灯管を配合して使う場合は、その内部に予設した電気回路は使用することができない。
【考案の開示】
【考案が解決しようとする課題】
【０００３】
上述のように従来の蛍光灯の灯具は本体及び、該本体の両端に固定されている灯管台で構成されているので、その使用する灯管の長さは固定されているために、同時にＴ８、Ｔ５或いはＴ４形の灯管を使用することができない。又、普通の灯具に使用されている電感整流器は、同時にＴ８形、Ｔ５形以下の灯管に適用することができない欠点がある。
したがって本考案の目的は、現有のＴ８形灯具に、同時にＴ５形以下の灯管を適用可能な蛍光灯灯管台転換装置を提供することにある。
【課題を解決するための手段】
【０００４】
上述の目的を達成するために本考案の請求項に記載の蛍光灯灯管台転換装置は、任意に取り付け外し可能な方式で、Ｔ８形以上の灯管台と配合した本体の両端の中の灯管台上に設けられる。一端は、該灯管台と連接可能で、別の一端はＴ５形以下の一つの灯管と連接可能とする。
【０００５】
この該灯管台転換装置は、灯具上で灯管の両端の二つの対応部位間の距離を縮めることが可能である。これによって、Ｔ５形以下の灯管と配合させることが可能である。尚且つ該灯管台転換装置は、任意に取り付け外し可能に設けられているので、使用上では、該灯具とＴ８形灯管の使用の配合の機能に影響しない。
【０００６】
この外に、該灯管台転換装置は一つの置き空間を有し、予設回路を置き込むことが可能である。この予設回路で灯具の元有の回路を転換して違った形式の灯管と配合して使用させることが可能である。
【考案を実施するための最良の形態】
【０００７】
以下、本考案の実施例を図面に基づいて説明する。
図１、図２、図３に示すように、本考案の実施例による蛍光灯灯管台転換装置は一つの灯具上に設置されている。該灯具は一つの本体１及び、該本体１の両端に置かれているベアの灯管台２を含む。該本体１の内部は別に一つのＴ８形灯管と配合できる電気回路を設けている。
【０００８】
該二つの灯管台２の間に置くことが可能な該蛍光灯灯管台転換装置３、４の中の左側にある転換装置３（図面にもとづく方向を基準とする）は、その一端には元の灯管台２の上に差し込み可能なプラグ５が設けられている。別の一端にはＴ５形灯管の一端を差し込み可能なソケット６が設けられている。右側にある転換装置４は、その一端には元の灯管台２に差し込み可能なプラグ８が設けられている。別の一端にはＴ５形灯管の別端を差し込み可能なソケット９が設けられている。
この外に、該灯管台転換装置３の内部の一つの置き空間の中は、該Ｔ５形灯管７と配合する予設回路或いは部品（例えば整流器等）１０を設けることが可能である。
【０００９】
上述のように、互いに向かって適当な長さを延伸可能な各該灯管台転換装置３、４によって、該二つのソケット６、９間の距離を縮小可能である。Ｔ５形（或いは以下の）灯管７を灯具に固定可能及び、上記の該灯管台転換装置３の内部の一つの置き空間の中にＴ５形灯管７と配合する一つの予設回路或いは部品１０を設けることが可能である。これによって該Ｔ５形灯管７を点火させることが可能である。そして使用者が該灯管台転換装置３、４を外した後では、該灯具はＴ８形灯管を取り付け可能な状態に回復可能である。
【図面の簡単な説明】
【００１０】
【図１】本考案の実施例による蛍光灯灯管台転換装置を示す外視図である。
【図２】本考案の実施例による蛍光灯灯管台転換装置を示す立体分解図である。
【図３】本考案の実施例による蛍光灯灯管台転換装置を示す構造図である。
【符号の説明】
【００１１】
１  本体、２  灯管台、３  灯管台転換装置、４  灯管台転換装置、５  プラグ、６  ソケット、７  灯管、８  プラグ、９  ソケット、１０  予設回路
【図１】
0003122762.tif 000003
【図２】
0003122762.tif 000004
【図３】
0003122762.tif 000005
(57)【要約】【課題】  簡易な構成かつ簡易な方法によって靴下や手袋を脚部あるいは腕部の表面にフィットさせて、リアルかつ堅牢に装着させた美麗で可愛らしい人形玩具を提供する。【解決手段】  少なくとも胴部３と脚部４を備えた人形玩具を構成し、人形の脚部４の表面にフィットする形状の伸縮部材からなる靴下６を構成し、この靴下６を脚部４に履かせてから、靴下６の上部を引っ張り脚部４の表面にフィットさせ、さらに靴下６の上部を脚部４の上部に固定した。【選択図】図１
0003122774.tif 000002
【実用新案登録請求の範囲】
【請求項１】
少なくとも胴部と脚部を備えた人形玩具を構成し、上記脚部の表面にフィットする伸縮部材からなる靴下を構成し、この靴下を上記脚部に装着し、かつ靴下の上部を脚部の上部に固定した人形玩具。
【請求項２】
少なくとも胴部と腕部を備えた人形玩具を構成し、上記腕部の表面にフィットする伸縮部材からなる手袋を構成し、この手袋を上記腕部に装着し、かつ手袋の上部を腕部の上部に固定した人形玩具。
【考案の詳細な説明】
【技術分野】
【０００１】
本考案は、脚部や腕部に靴下や手袋を装着した人形玩具に関するものである。
【背景技術】
【０００２】
従来より、人形に靴下を履かせたり手袋をさせていた。この靴下や手袋を人形の表面に構成する方法としては次の方法があった。
すなわち靴下を構成する場合には、黒色の材質で作成した人形の脚部の表面を肌色で着色し、その後肌色の表面を線状に削ることにより、地色の黒色を露出させて靴下のように見せるものである。この方法では、作成に手間がかかる上に、靴下のリアリティに欠けていた。
【０００３】
他の方法としては、靴下用の布を脚部に巻きながら貼り付けていくものであり、脚部の表面形状に合致する形状の布を予め用意して、それを接着剤で貼り付けていた。この方法は、微妙な曲面を有する脚部表面に布が完全にフィットしない上に、接着剤が脚部の全体にわたり露出するため仕上りが美麗でない上に、量産ができないという問題点があった。
上記は手袋の場合も同様であった。
【考案の開示】
【考案が解決しようとする課題】
【０００４】
本考案は上記の点に鑑みなされたものであり、簡易な方法で人形に靴下や手袋をリアルに装着させて、美麗で可愛らしい人形玩具を提供するものである。
【課題を解決するための手段】
【０００５】
本考案の要旨とするところは、少なくとも胴部と脚部を備えた人形玩具を構成し、上記脚部の表面にフィットする伸縮部材からなる靴下を構成し、この靴下を上記脚部に装着し、かつ靴下の上部を脚部の上部に固定した人形玩具である。
【０００６】
また本考案の要旨とするところは、少なくとも胴部と腕部を備えた人形玩具を構成し、上記腕部の表面にフィットする伸縮部材からなる手袋を構成し、この手袋を上記腕部に装着し、かつ手袋の上部を腕部の上部に固定した人形玩具である。
【考案の効果】
【０００７】
本考案は上記のように、伸縮部材からなる靴下または手袋を脚部または腕部に装着し上部を脚部や腕部の上部に固定したから、簡易な構成かつ簡易な方法によって靴下や手袋をリアルかつ堅牢に装着でき、美麗で可愛らしい人形玩具を得ることができる。
【考案を実施するための最良の形態】
【０００８】
本考案を実施するための最良の形態は、人形玩具の脚部の表面にフィットする形状の伸縮部材からなる靴下を構成する。この靴下を脚部に履かせてから、靴下の上部を引っ張り脚部の表面にフィットさせ、さらに靴下の上部を脚部の上部に固定した人形玩具である。
【０００９】
以下、本考案の実施形態を図に基づいて説明する。
図１は人形玩具の全体斜視図、図２は人形玩具の要部の分解斜視図、図３は第１実施形態の脚部の正面図、図４は第２実施形態の脚部の正面図及び図５は第３実施形態の脚部の正面図である。
【００１０】
本考案の人形玩具１は、図１に示すように脚部４の長い女の子が網目状の靴下を履いたものである。
上記脚部４は、図２に示すように、上端に構成した接合部４１を胴部３の凹部３１に嵌合して固定するものである。
上記靴下６は脚部の表面形状にフィットする伸縮部材からなる網目状の素材を使用していて、長さ、太さとも、脚部４の大きさより少し小さく作成する。この靴下６は網目状（網タイツ）に限らず、無地等の他の形状や、表面に模様を構成したものを採用できる。
【００１１】
この構成を詳しく説明する。図３は第１実施形態の脚部４を示す。
本実施形態では、上記のように構成した靴下６を人間の靴下と同様に脚部４に履かせてから上部を引っ張り、脚部４の表面形状にフィットさせる。
そしてこの状態で靴下６の上部をバンド等の固定部材７で脚部４に固定し、靴下６の中間部分は張力によって脚部４の表面に密着させるのである。
【００１２】
その後、脚部４に靴５を履かせて、同時に脚部の接合部４１を胴部３の凹部３１に嵌合して収納することで、靴下６の上端の余剰部分と固定部材７を胴部３内に収納する。また、上記靴下６上端の余剰部分を固定部材７の中に収納することもできる。
このように人形玩具の組み立て後は上記の固定部材７を隠すことで、あたかも人間が細い網タイツを履いているようなリアルな表現が可能となるのである。
【００１３】
上記靴下６上部の固定方法の他例を示す。
図４は第２実施形態の脚部４を示すものである。この実施形態は靴下６の上部を接着剤８によって脚部４に固定している。この方法は、上記第１実施形態より製作が容易であるというメリットがある。
また図示はしないが、接着剤に代えて脚部４の表面に突起を作り、その突起に靴下６を引っ掛けて固定することもできる。
【００１４】
図５は第３実施形態の脚部４を示すものである。この実施形態は靴下６の上部を接着剤等を使用せずに、接合部４１によって胴部３内に収納するものである。この方法は、固定部材が不要のため靴下６の固定が簡易に行なえるのである。
【００１５】
また本考案では脚部４に限らず、腕部２に手袋をつけることができるが、手袋９の構成は上記靴下６と同様であり、手袋を腕部２につける方法は脚部４に靴下６を履かせる方法と同様である。
【図面の簡単な説明】
【００１６】
【図１】本考案の人形玩具の全体斜視図
【図２】本考案の人形玩具の要部の分解斜視図
【図３】本考案の第１実施形態の脚部の正面図
【図４】本考案の第２実施形態の脚部の正面図
【図５】本考案の第３実施形態の脚部の正面図
【符号の説明】
【００１７】
１  人形玩具
２  腕部
３  胴部
３１  凹部
４  脚部
４１  接合部
５  靴
６  靴下
７  固定部材
８  接着剤
９  手袋
【図１】
0003122774.tif 000003
【図２】
0003122774.tif 000004
【図３】
0003122774.tif 000005
【図４】
0003122774.tif 000006
【図５】
0003122774.tif 000007
(57)【要約】【課題】繊維式散熱片を提供する。【解決手段】主に散熱片ベース上方に無数の約0.05-0.2mmの高伝導散熱材質の繊維体を嵌接し、該各繊維は適当な間隔距離を保持しながら上向きに延伸する。また該各繊維は各種環境の必要に応じ、延伸、紡織され散熱ネットを形成し、電子(コンピュータ)ホスト機外部に延伸し、散熱空間の表面積は倍増し、周辺気体の吸熱効果を加速することができる。こうして繊維式散熱片の高伝導散熱表面構造を構成し、迅速に吸熱しチップを冷却する産業上の利用価値を達成する。【選択図】図２
0003122772.tif 000002
【実用新案登録請求の範囲】
【請求項１】
主に数個の高伝導散熱材質の繊維体により3-5本を一単位としてクリップに嵌入し挟持し、該クリップ間は点ハンダ或いは溶接により散熱片のベースを形成し、各繊維は適当な間隔距離を保持しながら上向きに延伸し、該各高伝導散熱材質の繊維体空間分布により、周辺気体は迅速に吸熱され、チップ冷却の散熱効果を達成することを特徴とする繊維式散熱片。
【請求項２】
請求項１記載の繊維式散熱片において、前記数個の高伝導散熱材質の繊維体は数個の定位孔を備えた散熱片ベースに直接嵌入し、該各繊維は適当な間隔距離を保持しながら上向きに延伸することを特徴とする繊維式散熱片。
【請求項３】
請求項１または請求項２記載の繊維式散熱片において、前記各繊維は延伸、紡織され散熱ネットを形成することを特徴とする繊維式散熱片。
【考案の詳細な説明】
【技術分野】
【０００１】
本考案は一種の繊維式散熱片に関する。
【背景技術】
【０００２】
電子、IT製品はビジネス界にとってなくてはならない存在になっているが、そればかりか市民生活にも広く普及している。
一般の電子製品は電気抵抗、コンデンサー、ダイオード、チップ、インターフェースカード、プロセッサーユニットなどの基本パーツにより構成され、CPUにより作動を制御され、さらに各チップにそれぞれ管理演算を割り振る。このため、日に日に複雑化するソフトウエアの演算により、CPUとチップは他のパーツに比べ極めて大量の熱を発生するが、これら熱を排出できなければ、その製品寿命に悪影響を及ぼすだけでなく、CPU、チップそのもの、さらには周辺パーツが焼けてしまう可能性もある。
公知の散熱パーツはすべてアルミプレスにより成型され、熱を吸着、排出するものであるが、アルミ材質製品の散熱表面は冷却効果が低く、既に現行の高効率CPUの散熱ニーズを満たすことはできなくなっており、冷却製品業界は新たな製品開発にしのぎを削っている。
【考案の開示】
【考案が解決しようとする課題】
【０００３】
本考案の主な目的は、一種の繊維式散熱片を提供し、該散熱片ベース情報には複数の高伝導散熱材質の繊維体を嵌接し、該各繊維は適当な間隔距離を保持しながら上向きに延伸し、散熱空間の表面積を倍増させ、周辺気体の吸熱効果を加速する。
【０００４】
本考案のさらに一つの目的は、一種の繊維式散熱片を提供し、高伝導散熱材質の繊維体は各種環境のニーズに適応し、延伸紡織し散熱ネットを形成する。
【課題を解決するための手段】
【０００５】
請求項１の考案は、主に数個の高伝導散熱材質の繊維体により3-5本を一単位としてクリップに嵌入し挟持し、該クリップ間は点ハンダ或いは溶接により散熱片のベースを形成し、各繊維は適当な間隔距離を保持しながら上向きに延伸し、該各高伝導散熱材質の繊維体空間分布により、周辺気体は迅速に吸熱され、チップ冷却の散熱効果を達成することを特徴とする繊維式散熱片としている。
請求項２の考案は、請求項１記載の繊維式散熱片において、前記数個の高伝導散熱材質の繊維体は数個の定位孔を備えた散熱片ベースに直接嵌入し、該各繊維は適当な間隔距離を保持しながら上向きに延伸することを特徴とする繊維式散熱片としている。
請求項３の考案は、請求項１または請求項２記載の繊維式散熱片において、前記各繊維は延伸、紡織され散熱ネットを形成することを特徴とする繊維式散熱片としている。
【考案の効果】
【０００６】
本考案は散熱片ベース上方に無数の高伝導散熱材質の繊維体を嵌接し、該各繊維は適当な間隔距離を保持しながら上向きに延伸し、また該各繊維は各種環境の必要に応じ、延伸、紡織され散熱ネットを形成し、ホスト機外部に延伸し、こうして散熱空間の表面積は倍増し周辺気体の吸熱効果を加速することができる。またこれにより繊維式散熱片の高伝導散熱表面構造を構成し、迅速に吸熱しチップを冷却する産業上の利用価値を達成する。
【考案を実施するための最良の形態】
【０００７】
図１〜３に示すように、本考案繊維式散熱片は主に0.05-0.2mmの高伝導散熱材質の繊維体１により、3-5本が１単位としてクリップ２に嵌入し挟持され、該各クリップ２間は点ハンダ或いは溶接により散熱片のベースを形成し、これにより各繊維は上向きに適当な間隔距離を保持し延伸する構造である。
【０００８】
さらに図４に示すように、本考案構造は数個の高伝導散熱材質の繊維体１により、数個の定位孔２Aを具えた散熱片ベースに直接嵌入し、各繊維は上向きに適当な間隔距離を保持し延伸する構造とすることもできる。
【０００９】
本考案を一般のチップに応用する場合には、直接チップ表面に付着させ、各高伝導散熱材質の繊維体１分布により、周辺気体は迅速に熱を吸収され、チップを冷却する散熱効果を達成する。
【００１０】
別に高いエネルギーを発する特殊CPUに用いる場合には、図２に示すように、散熱ベースにサポートフレーム３を設置しファン５を増設することができる。こうして外からの風により、繊維体１の熱の持ち去りを加速し、周辺期待の吸熱を倍増させ、迅速な冷却効果を達成する。
【００１１】
図５に示すように、該繊維体１は各種環境のニーズに応じ、延伸紡織し散熱ネットとすることができ、散熱空間の表面積を増やすことができ、これにより本考案の産業における利用価値を大幅に向上させることができる。
【図面の簡単な説明】
【００１２】
【図１】本考案の最適実施例図である。
【図２】本考案の部品分解図である。
【図３】本考案の部品組成図である。
【図４】本考案別種の構造の組成図である。
【図５】本考案の繊維を延伸紡織し散熱ネットを形成する様子の表示図である。
【符号の説明】
【００１３】
１  繊維体
２  クリップ
２A  定位孔
３  サポートフレーム
５  ファン 
【図１】
0003122772.tif 000003
【図２】
0003122772.tif 000004
【図３】
0003122772.tif 000005
【図４】
0003122772.tif 000006
【図５】
0003122772.tif 000007
(57)【要約】      （修正有）【課題】個人の嗜好によりその飲料液の混合比を変化させることを可能とし、また個別にも喫飲可能とする。【解決手段】外殻円筒の缶本体１内を縦軸方向に仕切り壁２によって左右個室３、４に分割している。各々個室３、４内には異種の飲料液が封入され、而して、上蓋５に取り付けられた封入口（飲み口）６、７より各々個室３、４内の異種の飲料液を同時に飲用でき、また各々別々にも飲用することもできるものである。【選択図】図１
0003122785.tif 000002
【実用新案登録請求の範囲】
【請求項１】
外殻円筒の缶本体内を縦軸方向に仕切り壁にて左右個室に分割し、各々の左右個室に異種の飲料液を充填封入し、更に開封口を近接させて左右の飲料液を同時に混合して飲用できるようにしたことを特徴とした飲料液封入缶。
【請求項２】
左右個室の開封口を、外周にネジ部を有する筒状部に設け、該ネジ部にキャップを螺着したことを特徴とした請求項１記載の飲料液封入缶。
【請求項３】
左右個室の一方を半円個室体とし、更に外殻円筒の缶本体に該半円個室体を収納して缶本体の残余の部分とで左右個室を形成したことを特徴とした請求項１記載の飲料液封入缶。
【請求項４】
半円個室体を底部の水平壁の上下の高さを変えて仕切ったことを特徴とした請求項３記載の飲料液封入缶。
【考案の詳細な説明】
【考案の繊細な説明】
【０００１】通常は自動販売機などにて販売されている飲料液用封入缶には各個に対して１種類の飲料液しか封入されているのが実状でありそのほとんどが混合調味済のものである。
そのため個人的な嗜好の差や時間経過による鮮度、風味の変化（劣化）などを調整解決できないものがほとんどである。
又、実用新案出願公開  平２−６６４２８等が存在するが、この従来例のものは、缶を２分割しているが、各々別の飲料液か、または量を変えるかのいずれかで区分して封入しているだけであり、開封口（飲み口）を開離して設けており、各々を同時飲用をすることが出来ず、同時に飲用しようとすればまた別にコップを用意しなければならない。
【考案が解決しようとする課題】
【０００２】本考案は個人の嗜好によりその飲料液の混合比を変化させることを可能とし又、個別にも喫飲可能としたものである。又、同時直接飲用の場合は近接（隣接）する開封口（飲み口）の双方より直接口腔内に流れ込む異なった飲料液の作用や変化する残量の差によって口腔調味を楽しむ事が出来る。
加えて、内筒の容積は成型時に自在に変化させることを可能とし、各飲料液の容量の比率を変えることも可能である。
さらに、成人向けアルコール飲料液などについては、成分的に混合調味を終えて後、時間経過による味覚風味の変化は著しく、特に果汁などを用いたサワー、ハイボール等又アルコール度数差やその原材料により主成分を異にするカクテル等は、その傾向が顕著である。本考案が上記問題を防止解決するに相応しい考案で、特にコップ等を必要としなくても、簡単に飲用できる飲料液封入缶を提供することを目的とするものである。
【課題を解決するための手段】
【０００３】本考案は、円筒状に形成されて自動販売機等に対応可能な飲料液の封入缶であって、外郭円筒を縦軸方向に仕切り壁にし左右個室に分割し、各分割された個室に各々異なった飲料液を充填封入されている。外殻円筒内にさらに別の半円筒（内筒）を設け内容を２分割の個室とし、内筒の容積を成型時に自在に変化させることを可能とし各飲料液の容積の比率を変えることができる飲料液封入缶である。
【考案の効果】
【０００４】本考案による飲料液封入缶は、別個にかつ別時に異種の飲料液の何れかを選択飲用を可能とし、又、同時に異なった飲料液、例えば、焼酎と水とを混合させて飲用できるものであり、しかも嗜好体調などに対応して所望の好みが得られるものである。
【考案実施の形態】
【実施例】
【０００５】以下、本考案実施例として挙げた図面に基づいて説明する。
図１は、飲料液封入缶の斜視図であって、外殻円筒の缶本体１内を縦軸方向に仕切り壁２によって左右個室３、４に分割している。各々個室３、４内には異種の飲料液が封入され、而して、上蓋５に取り付けられた封入口（飲み口）６、７より各々個室３、４内の異種の飲料液を同時に飲用でき、また各々別々にも飲用することもできるものである。【０００６】図２は、異なる実施例であって、缶本体１の開封口を外周にネジ部８を有する筒状部９に設け、該ネジ部８にキャップ１０を螺着して開閉を簡便にしたものである。封入口（飲み口）６、７には、中蓋１１をいずれか一方に取り付けることにより、各々個室３、４内に封入された異種の飲料液を任意に飲用できるようにしたものである。【０００７】図３は、一方個室３を、半円形上の個室体３ａとし、さらに外殻円筒の缶本体１内に収納して缶本体１内の残余部分４ａとした左右個室３、４とを構成する。【０００８】図４は、図３で示した個室体３ａの底部水平壁１２の上下の高さを変えることにより、内容量を調整することができるものである。水平壁１２ａは上下の高さの変化を示すものである。
【図面の簡単な説明】
【０００９】
【図１】  本考案飲料液封入缶の斜視図。
【図２】  本考案の異なる実施例を示す飲料液封入缶の斜視図。
【図３】  一方個室体の斜視図。
【図４】  一方個室体の容積を変えた内筒の斜視図。
【符号の説明】
【００１０】１  缶本体
２  仕切り壁
３  個室
３ａ  個室体
４  個室
４ａ  残余部分
５  上蓋
６  封入口（飲み口）
７  封入口（飲み口）
８  ネジ部
９  筒状部
１０  キャップ
１１  中蓋
１２  底部水平壁
１２ａ  底部水平壁の変化例
【図１】
0003122785.tif 000003
【図２】
0003122785.tif 000004
【図３】
0003122785.tif 000005
【図４】
0003122785.tif 000006